(57)【要約】【課題】転倒時に対応する構造物の取付強度を確保できるとともに取付容易性も得られる作業機械を提供する。【解決手段】機体12の上部旋回体12bの前側にフロント作業用の作業装置13を設ける。この作業装置13の一側にオペレータ空間を形成するキャブ21を設け、上部旋回体12bの後側に重量平衡用のカウンタウェイト22を設ける。このカウンタウェイト22の上面であって、機体12の中心線よりキャブ21側に、カウンタウェイト22の内部に設けた円形断面の縦方向穴23を開口する。この縦方向穴23に、円形断面の棒状または柱状の柱状構造物25を挿着する。この柱状構造物25の中間部には、円板形の取付フランジ部26を一体に設け、この取付フランジ部26をボルトによりカウンタウェイト22の上面に固定する。【選択図】図１
2007182683.tif 000002
【特許請求の範囲】
【請求項１】
機体と、
機体の前側に設けられたフロント作業用の作業装置と、
作業装置の一側で機体上にオペレータ空間を形成するキャブと、
機体の後側に設けられた重量平衡用のカウンタウェイトと、
カウンタウェイトの上面に開口された縦方向穴と、
縦方向穴に挿着されカウンタウェイト上に突出された柱状構造物と
を具備したことを特徴とする作業機械。
【請求項２】
柱状構造物は、
中間部に設けられカウンタウェイトの上面に固定された取付フランジ部と、
取付フランジ部の下側に設けられカウンタウェイトの縦方向穴に挿入された挿入部と、
取付フランジ部の上側に設けられカウンタウェイトの上面に突出された突出部と
を具備したことを特徴とする請求項１記載の作業機械。
【発明の詳細な説明】
【技術分野】
【０００１】
本発明は、キャブを有する作業機械に関する。
【背景技術】
【０００２】
油圧ショベルの機体が転倒した場合、フロント作業装置と後部のカウンタウェイトを結ぶ面で地面に衝突するので、キャブの頭部が変形するおそれがある。
【０００３】
対策として、キャブのシェル(外骨格)を補強する補強キャブを用いることが考えられるが、スペース的な問題およびコスト的な問題があるので、この補強キャブを標準装備することは容易でない。
【０００４】
一方、油圧ショベルのカウンタウェイトの側壁上部に第１の支持体が略水平方向に設けられ、また、カウンタウェイトの外形に沿って第２の支持体が壁状に設けられ、この第２の支持体に後方視界を確保するための開口が設けられた転倒時保護構造が提案されている（例えば、特許文献１参照）。
【特許文献１】特開２００４−３２４０４４号公報（第４−５頁、図１−２）
【発明の開示】
【発明が解決しようとする課題】
【０００５】
第１および第２の支持体は、ボルトによりカウンタウェイトの取付面に固定されているが、ボルトのみによる固定では充分な取付強度を確保できないとともに、重量のあるの支持体をカウンタウェイトの取付面に位置決めして取付けることは容易でない。
【０００６】
本発明は、このような点に鑑みなされたもので、転倒時に対応する構造物の取付強度を確保できるとともに取付容易性も得られる作業機械を提供することを目的とする。
【課題を解決するための手段】
【０００７】
請求項１記載の発明は、機体と、機体の前側に設けられたフロント作業用の作業装置と、作業装置の一側で機体上にオペレータ空間を形成するキャブと、機体の後側に設けられた重量平衡用のカウンタウェイトと、カウンタウェイトの上面に開口された縦方向穴と、縦方向穴に挿着されカウンタウェイト上に突出された柱状構造物とを具備した作業機械である。
【０００８】
請求項２記載の発明は、請求項１記載の作業機械における柱状構造物が、中間部に設けられカウンタウェイトの上面に固定された取付フランジ部と、取付フランジ部の下側に設けられカウンタウェイトの縦方向穴に挿入された挿入部と、取付フランジ部の上側に設けられカウンタウェイトの上面に突出された突出部とを具備したものである。
【発明の効果】
【０００９】
請求項１記載の発明によれば、作業装置と、カウンタウェイトの縦方向穴に挿着された柱状構造物とにより、機体転倒時のキャブにかかる荷重を軽減でき、キャブの変形を抑制できる。また、カウンタウェイトの上面に開口された縦方向穴に柱状構造物を挿着して、カウンタウェイト上に突出させるので、柱状構造物の取付強度を確保できるとともに取付容易性も得られ、簡易なキャブ変形抑制手段を提供できる。
【００１０】
請求項２記載の発明によれば、柱状構造物の挿入部を縦方向穴に挿入するとともに、取付フランジ部をカウンタウェイトの上面に固定することで、柱状構造物の突出部をカウンタウェイト上に突出させた状態で容易に固定できるとともに、柱状構造物の突出部に作用する力を縦方向穴でも受けることで、取付フランジ部にかかる負荷を軽減し、柱状構造物の取付強度を確保できる。
【発明を実施するための最良の形態】
【００１１】
以下、本発明を図１乃至図４に示された一実施の形態、図５乃至図７にそれぞれ示された他の実施の形態を参照しながら詳細に説明する。
【００１２】
図１および図２に示されるように、作業機械としての油圧ショベル11は、下部走行体12aに上部旋回体12bが旋回可能に設けられた機体12を備え、その上部旋回体12bの前側には、上部旋回体12bのほぼ中心線上に配置されたフロント作業用の作業装置13が設けられている。
【００１３】
この作業装置13は、上部旋回体12bにブームシリンダ14により上下方向に回動されるブーム15が軸支され、このブーム15の先端にアームシリンダ16により回動されるアーム17が軸支され、このアーム17の先端にバケットシリンダ18により回動されるバケット19が回動自在に軸支されている。
【００１４】
この作業装置13の一側では、上部旋回体12b上にオペレータ空間を形成するキャブ21が設けられ、上部旋回体12bの後側には重量平衡用のカウンタウェイト22が設けられている。
【００１５】
図３に示されるように、このカウンタウェイト22の上面であって、機体12の中心線よりキャブ21側には、カウンタウェイト22の内部に設けられた円形断面の縦方向穴23が開口され、この縦方向穴23の開口縁の周囲には複数の取付ねじ穴24が穿設されている。
【００１６】
図４に示されるように、縦方向穴23に、円形断面の棒状または柱状の柱状構造物25が挿着されている。この柱状構造物25の中間部には、円板形の取付フランジ部26が一体に設けられ、この取付フランジ部26を介して下半側の挿入部27と、上半側の突出部28とが形成されている。
【００１７】
次に、図示された実施の形態の作用効果を説明する。
【００１８】
図３に示されるように、予めカウンタウェイト22のキャブ側に縦方向穴23および複数の取付ねじ穴24を設置しておき、転倒のおそれがある作業現場では、そのカウンタウェイト22の縦方向穴23に、図４に示されるように柱状構造物25を挿着する。
【００１９】
その際、柱状構造物25の挿入部27を縦方向穴23に挿入するとともに、取付フランジ部26のねじ挿入穴を通してカウンタウェイト22の取付ねじ穴24に螺入された複数のボルト29により、取付フランジ部26をカウンタウェイト22の上面に固定することで、柱状構造物25の突出部28をカウンタウェイト22上に突出させた状態で容易に固定できるとともに、柱状構造物25の突出部28に作用する力を縦方向穴23でも受けることができ、取付フランジ部26にかかる負荷を軽減し、柱状構造物25の取付強度を確保できる。
【００２０】
要するに、カウンタウェイト22の上面に開口された縦方向穴23に柱状構造物25を挿着して、カウンタウェイト22上に突出させるので、柱状構造物25の取付強度を確保できるとともに取付容易性も得られ、簡易なキャブ変形抑制手段を提供できる。
【００２１】
また、機体12が転倒した場合、作業装置13と、カウンタウェイト22の縦方向穴23に挿着された柱状構造物25と、キャブ21とで地面を受けることになり、ブーム15の背面頂部15aと、柱状構造物25の頂点(先端)と、キャブ21の頭部とで三角形の保護面30（図１）が形成されるので、機体転倒時のキャブ21の頭部にかかる荷重を軽減でき、キャブ21の変形を抑制できる。
【００２２】
特に、機体12のほぼ中心線上に配置された作業装置13と、機体12の中心線よりキャブ21側に寄って配置された柱状構造物25とにより、キャブ21から見て作業装置13側への転倒時は作業装置13により転倒時の荷重の一部を支えることができ、反対側への転倒時は柱状構造物25により転倒時の荷重の一部を支えることができ、キャブ21の変形を抑制できる。
【００２３】
また、柱状構造物25は機体12の中心線よりキャブ21側に配置されていてもキャブ内オペレータの後方視界を妨げることがなく、そのままでも充分な後方視界を確保できる。
【００２４】
さらに、作業現場の状況にあわせて柱状構造物25を容易に装着できる。すなわち、ユーザは最初からこの柱状構造物25を最初から装着する必要はなく、後から作業現場の状況に応じて柱状構造物25をフィールドで容易に装着することもできる。この柱状構造物25は、キャブ21自体を補強するよりも安価なアタッチメンとして提供できる。
【００２５】
次に、図５乃至図７のそれぞれは他の実施の形態を示し、これらは、非円形断面の柱状構造物25であり、図５に示されるように四角柱の柱状構造物25aでも良いし、図６に示されるようにＨ型鋼のような柱状構造物25bでも良いし、図７に示されるように３角柱の柱状構造物25cでも良い。一方、カウンタウェイト22に開口された縦方向穴23は、円形断面でなく、挿入する柱状構造物25に合わせた断面形状とすることは言うまでもない。
【図面の簡単な説明】
【００２６】
【図１】本発明にかかる作業機械の一実施の形態を示す正面図である。
【図２】同上作業機械の平面図である。
【図３】同上作業機械のカウンタウェイトを示す斜視図である。
【図４】同上作業機械のカウンタウェイトに柱状構造物を挿着したものの斜視図である。
【図５】同上柱状構造物の他の実施の形態を示す斜視図である。
【図６】同上柱状構造物の別の実施の形態を示す斜視図である。
【図７】同上柱状構造物のさらに別の実施の形態を示す斜視図である。
【符号の説明】
【００２７】
12    機体
13    作業装置
21    キャブ
22    カウンタウェイト
23    縦方向穴
25    柱状構造物
【図１】
2007182683.tif 000003
【図２】
2007182683.tif 000004
【図３】
2007182683.tif 000005
【図４】
2007182683.tif 000006
【図５】
2007182683.tif 000007
【図６】
2007182683.tif 000008
【図７】
2007182683.tif 000009